(57)【要約】【課題】製造コストを低くできる電子機器を提供する。【解決手段】電子機器１０は、コネクタ１７の内側におけるカード部材の挿脱方向に沿う内面に沿って配置された第１部材１９と、第１部材１９に連結され、コネクタ１７の内側においてカード部材の挿脱方向奥側端面に当接可能な第２部材２０と、第１部材１９に連結され、コネクタ１７の外側において回路基板１６における第１面２１とは反対側の第２面よりも突出する第３部材２３とを有するレバー部材１８を備え、レバー部材１８の回動に伴い、第２面から第３部材２３が突出しない位置まで、レバー部材１８を収容可能な孔部２４を有する。【選択図】図２
2013030304.tif 000002
【特許請求の範囲】
【請求項１】
筐体と、
前記筐体に収容された回路基板と、
前記回路基板における第１面に実装され、板状のカード部材が挿入可能なコネクタと、
前記コネクタの内側に配置されたレバー部材とを備え、
前記レバー部材が、前記コネクタの内側における前記カード部材の挿脱方向に沿う内面に沿って配置された第１部材と、
前記第１部材に連結され、前記コネクタの内側において前記カード部材の挿脱方向奥側端面に当接可能な第２部材と、
前記第１部材に連結され、前記コネクタの外側において前記回路基板における前記第１面とは反対側の第２面よりも突出する第３部材とを有し、
前記コネクタが、前記第１部材および前記第２部材のうちの一方における長手方向に沿った線を中心として回動することにより、前記第２面から前記第３部材が突出しない位置まで、前記第１部材および前記第２部材のうちの他方の少なくとも一部が外部に突出した状態から内部に収容可能な孔部を有する電子機器。
【請求項２】
請求項１に記載の電子機器において、
前記第１部材に対応した位置に前記孔部が設けられている電子機器。
【請求項３】
請求項２に記載の電子機器において、
前記第１部材の長手方向に対して直交する幅寸法よりも小さな狭小部が前記孔部に設けられている電子機器。
【請求項４】
請求項３に記載の電子機器において、
前記狭小部が前記コネクタの内部に向かって断面先細り形状である電子機器。
【請求項５】
請求項３に記載の電子機器において、
前記第１部材が、前記狭小部に対して断面先細り形状である電子機器。
【請求項６】
請求項１に記載の電子機器において、
前記第１部材および前記第２部材のうちの一方における外面に設けられた規制凸部と、前記コネクタの内壁面に設けられた規制凹部とを有し、
前記第２面から前記第３部材が突出しない位置まで前記レバー部材が回動したときに前記規制凸部および前記規制凹部が係合する電子機器。
【請求項７】
請求項１に記載の電子機器において、
前記第１部材および前記第２部材のうちの他方に設けられた規制段差部を有し、
前記第２面から前記第３部材が突出しない位置まで前記レバー部材が回動したときに前記規制段差部が前記孔部の縁部に係合する電子機器。
【請求項８】
請求項１に記載の電子機器において、
前記孔部に収容される収容突部が前記筐体に設けられている電子機器。
【請求項９】
請求項１に記載の電子機器において、
前記第１部材および前記第２部材のうちの他方が前記コネクタに収容された状態で、前記回路基板の厚み方向に沿って前記コネクタの外側に突出して前記筐体に接触するレバー部材凸部が、前記第１部材および前記第２部材のうちの他方に設けられている電子機器。
【請求項１０】
請求項９に記載の電子機器において、
前記レバー部材凸部が前記第１部材における前記孔部に対応する位置に設けられている電子機器。
【発明の詳細な説明】
【技術分野】
【０００１】
本発明は、携帯電話等の小型の電子機器に関し、特に電子機器に挿脱自在に装着されるＩＣカードやＰＣカード等のカード部材の挿脱構造に関する。
【背景技術】
【０００２】
従来より、カードスロットの脇に設けられているイジェクトレバーが押圧されることにより、ＰＣカードと本体部内のコネクタとの係合が外れ、ＰＣカードがカードスロットから引き出される電子機器が知られている（例えば、特許文献１参照）。
【先行技術文献】
【特許文献】
【０００３】
【特許文献１】特開平４−７１０８８号公報（図２、実施例の欄）
【発明の概要】
【発明が解決しようとする課題】
【０００４】
特許文献１は、ボタンを押すとレバーを介してＰＣカードの挿脱方向奥側の端面を挿脱方向手前側に押圧し、カードスロットからＰＣカードの挿脱方向手前側の端部が露出する。
特許文献１は、使用者が、カードスロットから露出したＰＣカードの挿脱方向手前側の端部を指で摘んで引き出す。
【０００５】
ところで、携帯電話等の小型の電子機器において、ＳＩＭカード、メモリカード等のカード部材が採用されているが、筐体が小型であるためカード部材を厚み方向に使用者が指で挟むための空間をカード部材の下側に確保できない。
このため、近年では、回路基板の下側にカード部材を挿脱するコネクタを実装した構造が提案されている。
【０００６】
図１７および図１８に示すように、従来の電子機器１００は、筐体１０１と、筐体１０１に収容された回路基板１０２とを備える。
また、従来の電子機器１００は、回路基板１０２の第１面１０３に実装されてカード部材１２０が挿入可能なコネクタ１０４と、コネクタ１０４の内側に配置されたレバー部材１０５とを備える。
レバー部材１０５は、コネクタ１０４の内側におけるカード部材１２０の挿脱方向に沿う内面に沿って配置された第１部材１０６を備える。
【０００７】
また、レバー部材１０５は、第１部材１０６に連結され、コネクタ１０４の内側においてカード部材１２０の挿脱方向奥側端面に当接可能な第２部材１０７を備える。
そして、レバー部材１０５は、第１部材１０６に連結され、コネクタ１０４の外側において回路基板１０２における第１面１０３とは反対側の第２面１０８よりも突出する第３部材１０９を備える。
従来の電子機器１００は、カード部材１２０の挿脱にあたって、使用者が指先を引っ掛けやすいように、第３部材１０９の先端が第１面１０３とは反対側の第２面１０８よりも突出する。
【０００８】
しかしながら、従来の電子機器１００は、第３部材１０９が第２面１０８より長さ寸法Ｌ１０で突出したままであるために、第２面１０８に電子部品１１０を実装する際に邪魔になる。
そのため、従来の電子機器１００は、電子部品１１０を第２面１０８に実装した後に、コネクタ１０４を第１面１０３に実装する順番に従って実装工程を行っていた。
従って、従来の電子機器１００は、回路基板１０２の実装工程に自由度および汎用性がなく、製造コストを低くできない。
【０００９】
本発明は、前述した課題を解決するためになされたものであり、その目的は、製造コストを低くできる電子機器を提供することにある。
【課題を解決するための手段】
【００１０】
本発明に係る電子機器は、筐体と、前記筐体に収容された回路基板と、前記回路基板における第１面に実装され、板状のカード部材が挿入可能なコネクタと、前記コネクタの内側に配置されたレバー部材とを備え、前記レバー部材が、前記コネクタの内側における前記カード部材の挿脱方向に沿う内面に沿って配置された第１部材と、前記第１部材に連結され、前記コネクタの内側において前記カード部材の挿脱方向奥側端面に当接可能な第２部材と、前記第１部材に連結され、前記コネクタの外側において前記回路基板における前記第１面とは反対側の第２面よりも突出する第３部材とを有し、前記コネクタが、前記第１部材および前記第２部材のうちの一方における長手方向に沿った線を中心として回動することにより、前記第２面から前記第３部材が突出しない位置まで、前記第１部材および前記第２部材のうちの他方の少なくとも一部が外部に突出した状態から内部に収容可能な孔部を有する。
【００１１】
本発明に係る電子機器は、前記第１部材に対応した位置に前記孔部が設けられている。
【００１２】
本発明に係る電子機器は、前記第１部材の長手方向に対して直交する幅寸法よりも小さな狭小部が前記孔部に設けられている。
【００１３】
本発明に係る電子機器は、前記狭小部が前記コネクタの内部に向かって断面先細り形状である。
【００１４】
本発明に係る電子機器は、前記第１部材が、前記狭小部に対して断面先細り形状である。
【００１５】
本発明に係る電子機器は、前記第１部材および前記第２部材のうちの一方における外面に設けられた規制凸部と、前記コネクタの内壁面に設けられた規制凹部とを有し、前記第２面から前記第３部材が突出しない位置まで前記レバー部材が回動したときに前記規制凸部および前記規制凹部が係合する。
【００１６】
本発明に係る電子機器は、前記第１部材および前記第２部材のうちの他方に設けられた規制段差部を有し、前記第２面から前記第３部材が突出しない位置まで前記レバー部材が回動したときに前記規制段差部が前記孔部の縁部に係合する。
【００１７】
本発明に係る電子機器は、前記孔部に収容される収容突部が前記筐体に設けられている。
【００１８】
本発明に係る電子機器は、前記第１部材および前記第２部材のうちの他方が前記コネクタに収容された状態で、前記回路基板の厚み方向に沿って前記コネクタの外側に突出して前記筐体に接触するレバー部材凸部が、前記第１部材および前記第２部材のうちの他方に設けられている。
【００１９】
本発明に係る電子機器は、前記レバー部材凸部が前記第１部材における前記孔部に対応する位置に設けられている。
【発明の効果】
【００２０】
本発明に係る電子機器によれば、製造コストを低くできるという効果を奏する。
【図面の簡単な説明】
【００２１】
【図１】本発明に係る第１実施形態の電子機器の斜め上方から視た分解斜視図
【図２】本発明に係る第１実施形態の電子機器のレバー部材のコネクタへの取付前の斜め下方から視た分解斜視図
【図３】本発明に係る第１実施形態の電子機器のレバー部材のコネクタに対する突出状態での斜め下方から視た外観斜視図
【図４】本発明に係る第１実施形態の電子機器のレバー部材のコネクタに対する突出状態での側面視垂直断面図
【図５】本発明に係る第１実施形態の電子機器のレバー部材のコネクタに対する突出状態での正面視垂直断面図
【図６】本発明に係る第１実施形態の電子機器のレバー部材のコネクタに対する非突出状態での斜め下方から視た外観斜視図
【図７】本発明に係る第１実施形態の電子機器のレバー部材のコネクタに対する非突出状態での側面視垂直断面図
【図８】本発明に係る第１実施形態の電子機器のレバー部材のコネクタに対する非突出状態での正面視垂直断面図
【図９】本発明に係る第１実施形態の電子機器のレバー部材周りの寸法説明図
【図１０】本発明に係る第１実施形態の電子機器の変形例のレバー部材のコネクタに対する非突出状態での側面視垂直断面図
【図１１】本発明に係る第２実施形態の電子機器のレバー部材のコネクタへの取付前の正面視垂直断面図
【図１２】本発明に係る第２実施形態の電子機器のレバー部材のコネクタへの取付時の正面視垂直断面図
【図１３】本発明に係る第２実施形態の電子機器のレバー部材のコネクタへの取付後の正面視垂直断面図
【図１４】本発明に係る第３実施形態の電子機器のレバー部材のコネクタに対する突出状態での側面視垂直断面図
【図１５】本発明に係る第４実施形態の電子機器のレバー部材のコネクタに対する突出状態での側面視垂直断面図
【図１６】本発明に係る第５実施形態の電子機器の斜め下方から視た外観斜視図
【図１７】従来の電子機器の外観斜視図
【図１８】従来の電子機器の側面視垂直断面図
【発明を実施するための形態】
【００２２】
以下、本発明に係る複数の実施形態の電子機器について図面を参照して説明する。
（第１実施形態）
図１に示すように、本発明に係る第１実施形態の電子機器１０は、筐体１１を構成するロワーカバー１２の電池パック収容部１３に電池パック１４が収容され、この電池パック収容部１３にカバー１５が装着される。
電子機器１０は、ロワーカバー１２の電池パック収容部１３の側部において、回路基板１６の下面にコネクタ１７が実装されており、このコネクタ１７にレバー部材１８を介して板状のカード部材１が挿脱自在に取り付けられる。
カード部材１は、引き出される際に、電池パック収容部１３内に突出するように、レバー部材１８とともにコネクタ１７から引き出される。
【００２３】
コネクタ１７は、回路基板１６に有する不図示のプリント回路に電気的に接続され、カード部材１が押圧を伴って挿入されることにより、カード部材１に機械的に係合する不図示の係合機構を有する。
コネクタ１７は、カード部材１が機械的に係合された際に、カード部材１に電気的に接続される。
【００２４】
図２に示すように、レバー部材１８は、コネクタ１７の内側におけるカード部材１の挿脱方向に沿う内面に沿って配置された第１部材１９を備える。
レバー部材１８は、第１部材１９に連結され、コネクタ１７の内側においてカード部材１の挿脱方向奥側端面に当接可能な第２部材２０を備える。
レバー部材１８は、第１部材１９に連結され、コネクタ１７の外側において回路基板１６における第１面２１とは反対側の第２面２２よりも突出する第３部材２３を備える。
【００２５】
図３に示すように、コネクタ１７は、第１部材１９に対応した下面に孔部２４が設けられている。回路基板１６は、第２面２２に電子部品２５が実装される。
この孔部２４は、レバー部材１８が、第１部材１９における長手方向に沿った線を中心として回動することにより第２面２２から第３部材２３が突出しない非突出位置まで第１部材１９が外部に突出した状態から内部に収容可能に形成されている。
すなわち、コネクタ１７は、回路基板１６の第２面２２に電子部品２５が実装される際に、レバー部材１８の第３部材２３が第２面２２から突出しないように、孔部２４を介して第２部材２０を支点として回動させておくことができる。
そのため、コネクタ１７が第１面２１に実装された後に、第２面２２に電子部品２５を支障なく実装できる。
【００２６】
図４に示すように、第１部材１９には、外面に規制凸部２６が形成されており、コネクタ１７には、内壁面に規制凹部２７が形成されている。
そのため、レバー部材１８は、第３部材２３が第２面２２から突出しない非突出位置まで回動したときに規制凸部２６が規制凹部２７に係合することにより、回動ストロークを規制される。
図５に示すように、コネクタ１７は、孔部２４に、レバー部材１８の第１部材１９の長手方向に対して直交する幅寸法よりも小さな狭小部２８が形成されており、この狭小部２８は、内部に向かって断面先細り形状である。
狭小部２８は、ハ字状に形成された一対の板部材により形成されており、非突出位置から突出位置に戻される際にレバー部材１８が入り易く、非突出位置においてレバー部材１８が出難いように規制する。
【００２７】
次に、レバー部材１８の動作について説明する。
図６に示すように、回路基板１６の第２面２２に電子部品２５を実装するにあたり、レバー部材１８の第３部材２３が第２面２２から突出しないように、第３部材２３がコネクタ１７側に押圧される。
図７に示すように、レバー部材１８の第３部材２３がコネクタ１７側に押圧されることにより、レバー部材１８の第３部材２３が第２面２２から突出しない非突出位置まで孔部２４を介して第２部材２０を支点として回動される。
このとき、レバー部材１８は、第３部材２３が第２面２２から突出しない非突出位置まで回動された際に、規制凸部２６が規制凹部２７に係合することにより回動ストロークを規制される。
【００２８】
そして、第２面２２への電子部品２５の実装が終了した後に、レバー部材１８の第３部材２３が第２面２２から突出する突出位置まで戻される。
このとき、図８に示すように、レバー部材１８は、第１部材１９が孔部２４の狭小部２８を通じてコネクタ１７内に戻される。
従って、レバー部材１８は、狭小部２８を通じてコネクタ１７内に簡単に挿入される。
【００２９】
図９に示すように、コネクタ１７は、内壁が高さ寸法Ｌ１を有する。これに対して、レバー部材１８は、第２部材２０が、高さ寸法Ｌ１よりも小さい外径寸法Ｌ２を有する。
そして、第２部材２０の回動中心Ａ１に対して長さ寸法Ｌ３だけオフセットされた位置に孔部２４の縁部が配置されている。
そのため、レバー部材１８は、コネクタ１７の内壁内に支持されて円滑に回動できる。
【００３０】
次に、電子機器１０の変形例について説明する。
図１０に示すように、電子機器１０の変形例は、レバー部材１８の第１部材１９に、規制段差部２９が形成されている。
規制段差部２９は、第２面２２から第３部材２３が突出しない非突出位置までレバー部材１８が回動したときに狭小部２８に係合することにより、レバー部材１８の回動ストロークを規制する。
【００３１】
以上、説明した本発明に係る第１実施形態の電子機器１０によれば、コネクタ１７を回路基板１６に実装する際に、レバー部材１８が、第３部材２３を第２面２２から突出させないように回動される。
従って、電子機器１０によれば、コネクタ１７が第１面２１に実装された後に、第２面２２に電子部品２５を支障なく実装できるために、回路基板１６の実装工程での自由度および汎用性を拡大でき、製造コストを低減できる。
【００３２】
また、電子機器１０によれば、第１部材１９を突出させる場合に比較してレバー部材１８の回動角度を少なくできる。
【００３３】
そして、電子機器１０によれば、狭小部２８により、非突出位置から突出位置に戻される際にレバー部材１８が入り易く、非突出位置においてレバー部材１８を出難くできる。
【００３４】
さらに、電子機器１０によれば、狭小部２８が断面先細り形状であることにより、非突出位置においてレバー部材１８が出難いように規制できる。
【００３５】
さらにまた、電子機器１０によれば、第３部材２３が第２面２２から突出しない非突出位置まで回動したときに規制凸部２６が規制凹部２７に係合することにより、レバー部材１８の回動ストロークを規制できる。
【００３６】
加えて、電子機器１０によれば、第２面２２から第３部材２３が突出しない非突出位置までレバー部材１８が回動したときに狭小部２８が規制段差部２９に係合することにより、レバー部材１８の回動ストロークを規制できる。
【００３７】
（第２実施形態）
次に、本発明に係る第２実施形態の電子機器について説明する。
なお、以下の各実施形態において、前述した第１実施形態と重複する構成要素や機能的に同様な構成要素については、図中に同一符号あるいは相当符号を付することによって説明を簡略化あるいは省略する。
【００３８】
図１１に示すように、本発明に係る第２実施形態の電子機器４０は、第１部材４２が、狭小部２８に対して断面先細り形状であるレバー部材４１を備える。
レバー部材４１は、第２面２２への電子部品２５の実装が終了した後に、第３部材２３が第２面２２から突出する突出位置まで戻される際に、第１部材４２が狭小部２８に当接される。
図１２に示すように、レバー部材４１の第１部材４２が狭小部２８に当接されることにより、狭小部２８を弾性変形させる。
図１３に示すように、レバー部材４１は、第１部材４２が、狭小部２８を弾性変形させた後に、狭小部２８を乗り越えてコネクタ１７内に戻る。
【００３９】
第２実施形態の電子機器４０によれば、レバー部材４１が非突出位置まで戻される際に、第１部材４２が狭小部２８を弾性変形させた後に、狭小部２８を乗り越えてコネクタ１７内に戻る。
従って、電子機器４０によれば、非突出位置においてレバー部材４１を確実に出難くできる。また、レバー部材４１について、断面先細り形状の背面は平坦とした場合、狭小部２８を乗り越え、突出位置に戻された後、非突出位置へ再移動する動作を規制することができる。
【００４０】
（第３実施形態）
次に、本発明に係る第３実施形態の電子機器について説明する。
図１４に示すように、本発明に係る第３実施形態の電子機器５０は、孔部２４に収容される収容突部５２が形成された筐体５１が適用される。
【００４１】
第３実施形態の電子機器５０によれば、回路基板１６にコネクタ１７が実装されて筐体５１に組み込まれた後に、筐体５１の収容突部５２により、レバー部材１８の自重での垂れ下がりを防止できる。さらに、収容突部５２の材質として、アセタール樹脂等の樹脂部材を選定することで、レバー部材１８との摩擦を低減させ、レバー部材の滑り性を向上させることができる。
【００４２】
（第４実施形態）
次に、本発明に係る第４実施形態の電子機器について説明する。
図１５に示すように、本発明に係る第４実施形態の電子機器６０は、回路基板１６の厚み方向に沿ってコネクタ１７の外側に突出して筐体１１に接触するレバー部材凸部６３が第１部材６２に設けられたレバー部材６１を備える。
レバー部材凸部６３は、第１部材６２における孔部２４に対応する位置に設けられている。
【００４３】
第４実施形態の電子機器６０によれば、回路基板１６にコネクタ１７が実装されて筐体１１に組み込まれた後に、レバー部材凸部６３が筐体１１に接触するために、レバー部材６１の自重での垂れ下がりを防止できる。さらに、収容突部５２の材質として、アセタール樹脂等の樹脂部材を選定することで、レバー部材１８との摩擦を低減させ、レバー部材の滑り性を向上させることができる。
【００４４】
また、電子機器６０によれば、レバー部材６１が引き出される際に、レバー部材凸部６３が孔部２４に当接することによりストッパとして機能するために、レバー部材６１の引出ストローク量を規制できる。
【００４５】
（第５実施形態）
次に、本発明に係る第５実施形態の電子機器について説明する。
図１６に示すように、本発明に係る第５実施形態の電子機器７０は、第１部材７２を中心として回動することにより、回路基板１６から突出しない非突出位置まで回動される第３部材７３を有するレバー部材７１を備える。
レバー部材７１は、第１部材７２を中心として回動することにより、孔部７４を介してコネクタ１７の下面に突出される第２部材７５を備える。
【００４６】
第５実施形態の電子機器７０によれば、レバー部材７１が回動されることにより、第３部材７３を回路基板１６から突出しない非突出位置に位置できるために、レバー部材７１の簡単な動作で第３部材７３を非突出位置に設定できる。
【００４７】
なお、本発明の電子機器においてロワーカバー，電池パック，回路基板，カード部材等は、前述した各実施形態に限定されるものでなく、適宜な変形や改良等が可能である。
【産業上の利用可能性】
【００４８】
以上述べたように、本発明の電子機器によれば、回路基板の実装工程での自由度および汎用性を拡大でき、製造コストを低減できるものである。
以上の結果として、生産性を飛躍的に向上でき、本発明の産業上の利用可能性は大といえる。
【符号の説明】
【００４９】
１  カード部材
１０，４０，５０，６０，７０  電子機器
１１，５１  筐体
１６  回路基板
１７  コネクタ
１８，４１，６１、７１  レバー部材
１９，４２，６２，７２  第１部材
２０，７５  第２部材
２１  第１面
２２  第２面
２３，７３  第３部材
２４，７４  孔部
２６  規制凸部
２７  規制凹部
２８  狭小部
２９  規制段差部
５２  収容突部
６３  レバー部材凸部
【図１】
2013030304.tif 000003
【図２】
2013030304.tif 000004
【図３】
2013030304.tif 000005
【図４】
2013030304.tif 000006
【図５】
2013030304.tif 000007
【図６】
2013030304.tif 000008
【図７】
2013030304.tif 000009
【図８】
2013030304.tif 000010
【図９】
2013030304.tif 000011
【図１０】
2013030304.tif 000012
【図１１】
2013030304.tif 000013
【図１２】
2013030304.tif 000014
【図１３】
2013030304.tif 000015
【図１４】
2013030304.tif 000016
【図１５】
2013030304.tif 000017
【図１６】
2013030304.tif 000018
【図１７】
2013030304.tif 000019
【図１８】
2013030304.tif 000020